(57)【要約】【課題】引き出し部を傾けない状態で引き出し部の移動を規制することができる光部品収納箱を提供する。【解決手段】一実施形態に係る光部品収納箱１は、ラックに固定されるベース部１０と、ベース部１０から一方向Ｄ１に引き出される引き出し部２０と、を備え、引き出し部２０の一方向Ｄ１側には、複数の外部コネクタのそれぞれが接続される複数のアダプタ２１が露出しており、引き出し部２０の一方向Ｄ１の反対方向Ｄ２側には、光部品に光接続するケーブルが延び出しており、引き出し部２０は、一方向Ｄ１及び鉛直方向Ｄ４の双方に交差する左右方向Ｄ３に延びる揺動軸４１を中心として揺動自在とされたレバー部４０を有し、レバー部４０は、鉛直上方に向かって窪む凹部を有し、ベース部１０は、ベース部１０から引き出し部２０が一定量引き出されたときに当該凹部に入り込むストッパ３０を有する。【選択図】図２
2020079839.tif 000002
【特許請求の範囲】
【請求項１】
光部品を収納する光部品収納箱であって、
ラックに固定されるベース部と、
前記光部品を収納すると共に前記ベース部から一方向に引き出される引き出し部と、
を備え、
前記引き出し部の前記一方向側には、複数の外部コネクタのそれぞれが接続される複数のアダプタが露出しており、
前記引き出し部の前記一方向の反対方向側には、前記光部品に光接続するケーブルが延び出しており、
前記引き出し部は、前記一方向及び鉛直方向の双方に交差する方向に延びる揺動軸を中心として揺動自在とされたレバー部を有し、
前記レバー部は、鉛直上方に向かって窪む凹部を有し、
前記ベース部は、前記ベース部から前記引き出し部が一定量引き出されたときに前記凹部に入り込むストッパを有する、
光部品収納箱。
【請求項２】
前記レバー部は、前記ストッパが前記凹部に入り込んだときに前記レバー部を持ち上げる摘み部を有する、
請求項１に記載の光部品収納箱。
【発明の詳細な説明】
【技術分野】
【０００１】
本発明の一側面は、光部品収納箱に関する。
【背景技術】
【０００２】
特許文献１には、ラック（光配線盤）に収納されるトレイ状のスプライスユニットとして使用される引出型シャーシが記載されている。引出型シャーシには光ファイバが収納される。引出型シャーシは一定方向に引き出し可能とされており、引出型シャーシが引き出された状態で光ファイバの収納作業及びメンテナンスが行われる。この引出型シャーシは、枠体と、枠体から引き出されるトレイとを有する。トレイは、枠体から一定量引き出されると、枠体に対して斜め下方に傾く前傾姿勢となる。
【０００３】
特許文献２には、停止位置を備えた光ファイバ機器ガイド及びレールが記載されている。光ファイバ機器ガイドは、光部品が収容されるシャーシと、シャーシに対して引き出される光ファイバ機器引出しとを備える。光ファイバ機器引出しは、シャーシから一定量引き出されると、シャーシとの接続部分を軸として斜め下方に傾いて停止する。また、光ファイバ機器ガイドは、光ファイバ機器引き出しが傾きすぎることを制限する引出し傾き制限部材を備える。
【先行技術文献】
【特許文献】
【０００４】
【特許文献１】特開２００９−１６４２２４号公報
【特許文献２】特表２０１２−５２７６５３号公報
【発明の概要】
【発明が解決しようとする課題】
【０００５】
前述した引出型シャーシ及び光ファイバ機器引出しのように、光部品を収納する光部品収納箱は、ベース部と、ベース部から引き出される引き出し部とを備える。前述した引出型シャーシ及び光ファイバ機器引出しでは、引き出し部は、ベース部から一方向に一定量引き出された後に斜め下方に傾く。よって、斜め下方に傾いていない状態では、引き出し部の一方向への移動が規制されていない。従って、引き出し部が斜め下方に傾いていない状態では、引き出し部の一方向への移動が規制されていないので、引き出し部が移動することにより光部品収納箱に対する作業を行いにくいという問題が発生しうる。
【０００６】
具体的には、光部品収納箱の引き出し部には複数のアダプタが露出しており、複数のアダプタに対して外部コネクタを挿抜する作業を行うことがある。前述したように引き出し部の一方向への移動が規制されていない場合、アダプタに外部コネクタを挿抜する作業を行うときに引き出し部が動くことがある。よって、アダプタに対する外部コネクタの挿抜を行いにくく、引き出し部の移動に伴って外部コネクタを誤って抜いてしまったり、或いは、アダプタと外部コネクタの結合が不十分のままとしてしまったりして、光信号が断絶する懸念がある。
【０００７】
本発明の一側面は、引き出し部を傾けない状態で引き出し部の移動を規制することができる光部品収納箱を提供することを目的とする。
【課題を解決するための手段】
【０００８】
本発明の一側面に係る光部品収納箱は、光部品を収納する光部品収納箱であって、ラックに固定されるベース部と、光部品を収納すると共にベース部から一方向に引き出される引き出し部と、を備え、引き出し部の一方向側には、複数の外部コネクタのそれぞれが接続される複数のアダプタが露出しており、引き出し部の一方向の反対方向側には、光部品に光接続するケーブルが延び出しており、引き出し部は、一方向及び鉛直方向の双方に交差する方向に延びる揺動軸を中心として揺動自在とされたレバー部を有し、レバー部は、鉛直上方に向かって窪む凹部を有し、ベース部は、ベース部から引き出し部が一定量引き出されたときに凹部に入り込むストッパを有する。
【発明の効果】
【０００９】
本発明によれば、引き出し部を傾けない状態で引き出し部の移動を規制することができる。
【図面の簡単な説明】
【００１０】
【図１】図１は、実施形態に係る光部品収納箱の平面図である。
【図２】図２は、図１の光部品収納箱の引き出し部が一定量引き出された状態を上方から見た斜視図である。
【図３】図３は、図１の光部品収納箱の引き出し部が更に引き出された状態を示す斜視図である。
【図４】図４は、図１の光部品収納箱の引き出し部を示す斜視図である。
【図５】図５は、図１の光部品収納箱の引き出し部を一定量引き出した状態を示す斜視図である。
【図６】図６は、図５の状態における引き出し部のレバー部と、ベース部のストッパとを示す斜視図である。
【図７】図７は、図６のレバー部の凹部がストッパを前方に乗り越えて引き出し部が更に引き出された状態を示す斜視図である。
【発明を実施するための形態】
【００１１】
［本願発明の実施形態の説明］
最初に本願発明の実施形態の内容を列記して説明する。一実施形態に係る光部品収納箱は、光部品を収納する光部品収納箱であって、ラックに固定されるベース部と、光部品を収納すると共にベース部から一方向に引き出される引き出し部と、を備え、引き出し部の一方向側には、複数の外部コネクタのそれぞれが接続される複数のアダプタが露出しており、引き出し部の一方向の反対方向側には、光部品に光接続するケーブルが延び出しており、引き出し部は、一方向及び鉛直方向の双方に交差する方向に延びる揺動軸を中心として揺動自在とされたレバー部を有し、レバー部は、鉛直上方に向かって窪む凹部を有し、ベース部は、ベース部から引き出し部が一定量引き出されたときに凹部に入り込むストッパを有する。
【００１２】
一実施形態に係る光部品収納箱では、光部品を収納する引き出し部はベース部から一方向に引き出される。引き出し部の当該一方向側には複数のアダプタが露出しており、複数のアダプタには複数の外部コネクタのそれぞれが接続される。また、引き出し部の当該一方向の反対方向側には、収納される光部品に光接続するケーブルが延び出している。引き出し部は揺動自在とされたレバー部を有し、レバー部の揺動軸は、当該一方向及び鉛直方向の双方に交差する方向に延びている。レバー部は鉛直方向に揺動すると共に鉛直上方に向かって窪む凹部を有し、ベース部は引き出し部が一定量引き出されるときにレバー部の凹部に入り込むストッパを有する。よって、引き出し部を一方向に一定量引き出すと、レバー部の凹部にストッパが入り込むので、引き出し部を傾けることなく引き出し部の一方向への移動を規制することができる。引き出し部は一定量一方向に引き出された状態で一方向への移動が規制されるので、光部品収納箱に対する作業を行いやすくすることができる。すなわち、引き出し部を傾けることなく且つ引き出し部の一方向への移動が規制された状態でアダプタへの外部コネクタの接続等を行うことができる。その結果、作業時における引き出し部の移動を規制できるので、外部コネクタの挿抜等の作業を行いやすくすることができると共に、光信号の断絶等を回避することができる。
【００１３】
一実施形態に係る光部品収納箱において、レバー部は、ストッパが凹部に入り込んだときにレバー部を持ち上げる摘み部を有してもよい。この場合、レバー部の凹部にストッパが入り込んだ状態において、摘み部によってレバー部を持ち上げることができるので、凹部からストッパを外すことができる。よって、摘み部でレバー部を持ち上げて引き出し部を更に引き出すことができる。
【００１４】
［本発明の実施形態の詳細］
本発明の実施形態に係る光部品収納箱の具体例を図面を参照しながら説明する。本発明は、以下の具体例に限定されるものではなく、特許請求の範囲に示され、特許請求の範囲と均等の範囲における全ての変更が含まれることが意図される。図面の説明において、同一又は相当する要素には同一の符号を付し、重複する説明を適宜省略する。
【００１５】
図１は、本実施形態に係る光部品収納箱１を示す平面図である。図２は、光部品収納箱１を斜め上方から見た斜視図である。図１及び図２に示されるように、光部品収納箱１は、枠状とされたベース部１０と、ベース部１０から一方向Ｄ１に引き出されると共に光部品を収納する引き出し部２０とを備える。光部品収納箱１は、例えば、データセンタのラックに取り付けられる箱状の部材であって、ラックの光配線架を構成する。一方向Ｄ１は引き出し部２０がベース部１０から引き出される方向（図１及び図２では左方向）を示している。ベース部１０に対して引き出し部２０は、一方向Ｄ１、及びその反対方向Ｄ２に移動可能とされている。
【００１６】
引き出し部２０は一方向Ｄ１側に複数のアダプタ２１を保持している。一例として、アダプタ２１はＬＣアダプタである。例えば、引き出し部２０の一方向Ｄ１を向く面２０ａにおいて、複数のアダプタ２１は、左右方向Ｄ３及び鉛直方向Ｄ４の双方に沿って格子状に配列されている。例えば、左右方向Ｄ３は、一方向Ｄ１及び反対方向Ｄ２の双方に直交すると共に引き出し部２０が延在する方向に相当し、一方向Ｄ１及び鉛直方向Ｄ４に延びる平面に直交する方向である。
【００１７】
複数のアダプタ２１のそれぞれには外部コネクタを接続可能とされている。また、引き出し部２０の反対方向Ｄ２側には、引き出し部２０の内部の光部品に光接続するケーブル２２が延び出しており、例えば、ケーブル２２は光ファイバを保持するフレキ管を含んでいる。引き出し部２０の内部には、例えば、各アダプタ２１の内部に設けられる内部コネクタ、及び内部コネクタから延びる光ファイバケーブルが設けられていてもよいし、ケーブル２２が接続する内部コネクタが設けられていてもよい。このように、引き出し部２０の内部に収納される光部品の種類は適宜変更可能である。
【００１８】
引き出し部２０の一方向Ｄ１の端部且つ左右方向Ｄ３の両端のそれぞれには、左右方向Ｄ３の両端側に突出する突出部２３が設けられており、突出部２３にはナイラッチ２４が貫通している。ベース部１０の左右方向Ｄ３両端のそれぞれには、一方向Ｄ１に突出する第１突出部１１と、第１突出部１１の一方向Ｄ１の端部から左右方向Ｄ３の外側に突出する第２突出部１２とが設けられている。
【００１９】
第２突出部１２は一方向Ｄ１（反対方向Ｄ２）に貫通する貫通孔１２ａを有し、貫通孔１２ａにはナイラッチ２４が着脱自在に嵌合する。ベース部１０から引き出し部２０が引き出されていない状態ではナイラッチ２４が貫通孔１２ａに嵌合している。ベース部１０から引き出し部２０を引き出す際は、ナイラッチ２４の嵌合を解除してナイラッチ２４を貫通孔１２ａから離間させながらベース部１０から引き出し部２０を引き出す。
【００２０】
図３は、光部品収納箱１の全体を示す斜視図である。図３に示されるように、ベース部１０は、上方が開口する矩形箱状とされている。ベース部１０は、左右方向Ｄ３を向く一対の側面部１５と、反対方向Ｄ２を向く背面部１６と、下方に向けられる底面部１７とを備える。各側面部１５は前述した第１突出部１１及び第２突出部１２を有し、第１突出部１１の根元側（反対方向Ｄ２側）にはストッパ３０が設けられる。ストッパ３０については後に詳述する。
【００２１】
側面部１５は、上端がベース部１０の左右方向Ｄ３の内側に折り曲げられた折り曲げ部１５ａを有する。一対の折り曲げ部１５ａと底面部１７との間に引き出し部２０が配置される。これにより、引き出し部２０の鉛直方向Ｄ４への移動が規制される。背面部１６は左右方向Ｄ３に沿って並ぶと共に下方に凹む一対の切り欠き１６ａを有し、例えば、一対の切り欠き１６ａのいずれかからケーブル２２が通される。また、背面部１６は、一対の切り欠き１６ａの間において左右方向Ｄ３及び鉛直方向Ｄ４の双方に延在する壁部１６ｂと、壁部１６ｂの上端において一方向Ｄ１に突出する突出部１６ｃとを有する。側面部１５、背面部１６及び底面部１７は、例えば、共に平板状とされている。
【００２２】
図４は、光部品収納箱１の引き出し部２０を示す斜視図である。図３及び図４に示されるように、引き出し部２０は、左右方向Ｄ３の両端のそれぞれに位置する側面部２５と、前述した光部品を覆う上面部２６と、一方向Ｄ１の端部に位置する前面部２７と、前述した光部品が載せられる底面部２８とを有する。上面部２６は、一方向Ｄ１の端部にアダプタ２１を保持するアダプタ保持部２６ａを有し、アダプタ保持部２６ａと前面部２７との間には上方に開口する空間Ｓが形成されている。この空間Ｓでは、アダプタ２１に外部コネクタを挿抜する作業等が行われる。空間Ｓの一方向Ｄ１の長さは、一例として、１０ｃｍ以上且つ１５ｃｍ以下であるが、適宜変更可能である。
【００２３】
上面部２６は、例えば、上面部２６の反対方向Ｄ２側において左右方向Ｄ３に並ぶと共に鉛直方向Ｄ４に貫通する一対の貫通孔２６ｂと、反対方向Ｄ２の端部から下方に折り曲げられる折り曲げ部２６ｃとを有する。前面部２７は、左右方向Ｄ３に並ぶと共に一方向Ｄ１（反対方向Ｄ２）に貫通する一対の貫通孔２７ａを有する。また、底面部２８は一方向Ｄ１の端部において上方に折り曲げられると共に前面部２７に接触する折り曲げ部２８ａを有し、折り曲げ部２８ａの左右方向Ｄ３の両端のそれぞれには上方に突出する突出部２８ｂが設けられている。
【００２４】
側面部２５は、一方向Ｄ１及び反対方向Ｄ２に延びる貫通孔２５ａと、側面部２５の前端下部から反対方向Ｄ２に凹む切り欠き部２５ｂとを備える。貫通孔２５ａは、ベース部１０に対する引き出し部２０の一方向Ｄ１及び反対方向Ｄ２へのスライドを可能にすると共に左右方向Ｄ３及び鉛直方向Ｄ４への移動を規制するレールとして機能する。貫通孔２５ａは、切り欠き部２５ｂの上方から反対方向Ｄ２に延びる直線部２５ｃと、直線部２５ｃの反対方向Ｄ２の端部から斜め下方に延びる傾斜部２５ｄとを有する。
【００２５】
貫通孔２５ａには、前述したベース部１０のストッパ３０が左右方向Ｄ３に挿通される。ストッパ３０はベース部１０の側面部１５からベース部１０の内側に突出しており、ストッパ３０の当該突出した部分が貫通孔２５ａに挿通されている。従って、ストッパ３０が貫通孔２５ａの直線部２５ｃに挿通されているときには、ストッパ３０によってベース部１０に対する引き出し部２０の上下移動が規制される。また、ストッパ３０が貫通孔２５ａの傾斜部２５ｄに挿通されているときには、ベース部１０に対して引き出し部２０が斜め下方に傾斜する。
【００２６】
側面部２５には、レバー部４０が鉛直方向Ｄ４に揺動自在に取り付けられる。レバー部４０は、一定方向に長く延びる板状とされている。レバー部４０の長さは、例えば、前述した空間Ｓの一方向Ｄ１の長さよりも長い。レバー部４０は、例えば、引き出し部２０の左右方向Ｄ３の片側に設けられる。
【００２７】
レバー部４０は、レバー部４０の一方向Ｄ１の端部付近に設けられる揺動軸４１から反対方向Ｄ２に延びる第１直線部４０Ａと、第１直線部４０Ａから反対方向Ｄ２に延びる第２直線部４０Ｂと、第２直線部４０Ｂから更に反対方向Ｄ２に延びる幅広部４０Ｃとを有する。第１直線部４０Ａは、レバー部４０を鉛直方向Ｄ４に揺動可能とする揺動軸４１と、レバー部４０の揺動を一定範囲内に規制する揺動規制部４２と、レバー部４０を持ち上げる摘み部４５とを備える。
【００２８】
揺動軸４１は、レバー部４０の一方向Ｄ１の端部に設けられており、反対方向Ｄ２に延びるレバー部４０の揺動の中心軸として機能する。従って、レバー部４０は、揺動軸４１を中心として鉛直方向Ｄ４に揺動自在とされている。揺動規制部４２は、揺動軸４１の反対方向Ｄ２に設けられており、側面部２５に形成された貫通孔２５ｇに左右方向Ｄ３に挿通されている。
【００２９】
貫通孔２５ｇは、切り欠き部２５ｂの上方に形成されると共に一定の高さを有し、揺動規制部４２は貫通孔２５ｇの高さの範囲で鉛直方向Ｄ４に移動可能とされている。このように、揺動規制部４２が貫通孔２５ｇの内部において鉛直方向Ｄ４に移動することにより、レバー部４０が鉛直方向Ｄ４に移動しつつもレバー部４０の揺動が一定範囲内（揺動規制部４２が貫通孔２５ｇを移動可能な範囲内）に規制される。
【００３０】
摘み部４５は、揺動軸４１の反対方向Ｄ２側に設けられる。具体的には、摘み部４５は、揺動規制部４２の上方において揺動軸４１の反対方向Ｄ２側から反対方向Ｄ２に延びている。例えば、摘み部４５は、第１直線部４０Ａの反対方向Ｄ２の端部まで延びている。摘み部４５は、レバー部４０を上方に揺動させるために指等で摘ままれる部位である。この摘み部４５によって、指等でレバー部４０を容易に持ち上げることが可能となる。摘み部４５は、第１直線部４０Ａの上端においてレバー部４０の左右方向Ｄ３の外側に折り曲げられて形成されている。このように、摘み部４５が左右方向Ｄ３の外側に折り曲げられていることにより、摘み部４５は指等で摘まみやすい形状とされている。
【００３１】
第２直線部４０Ｂは第１直線部４０Ａから反対方向Ｄ２に延び出しており、例えば、第２直線部４０Ｂの幅は第１直線部４０Ａの幅よりも狭い。第２直線部４０Ｂは、アダプタ保持部２６ａよりも反対方向Ｄ２側に延びており、第２直線部４０Ｂの反対方向Ｄ２側に幅広部４０Ｃが設けられる。幅広部４０Ｃは、第２直線部４０Ｂから上方に突出すると共に反対方向Ｄ２に更に延びており、全体として略直角三角形状とされている。
【００３２】
幅広部４０Ｃは、第２直線部４０Ｂから上方に延びる第１辺４０ａと、第１辺４０ａの上端から反対方向Ｄ２に延びる第２辺４０ｂと、第２辺４０ｂの反対方向Ｄ２の端部から第２直線部４０Ｂに向かって斜め下方に延びる第３辺４０ｃとを有する。幅広部４０Ｃは、前述したストッパ３０が引っ掛かる凹部４３を有する。凹部４３は、鉛直上方に窪んでおり、例えば、第３辺４０ｃにおいて逆Ｕ字状に形成されている。
【００３３】
次に、ベース部１０から引き出し部２０を引き出すときにおける光部品収納箱１の各部の動作について説明する。まず、引き出し部２０がベース部１０から引き出されていない初期状態ではナイラッチ２４が第２突出部１２の貫通孔１２ａに嵌合しており、この状態から引き出し部２０をベース部１０から一方向Ｄ１に引き出す。初期状態から引き出し部２０を一定量一方向Ｄ１側に引き出すと、貫通孔２５ａ（直線部２５ｃ）をストッパ３０が反対方向Ｄ２に相対移動した後に、例えば図５に示される状態で一方向Ｄ１への引き出し部２０の引き出しが規制される。
【００３４】
図５及び図６に示されるように、ベース部１０から引き出し部２０を一定量引き出すと、ベース部１０のストッパ３０がレバー部４０の第２直線部４０Ｂから幅広部４０Ｃに反対方向Ｄ２側に相対移動し、そしてストッパ３０がレバー部４０を持ち上げた後に凹部４３に入り込む。レバー部４０の凹部４３にストッパ３０が入り込んだ状態では引き出し部２０の一方向Ｄ１への引き出しが規制されるので、例えば、この状態でアダプタ２１に外部コネクタを挿抜する作業等を行うことが可能となる。図５及び図６に示される状態から更に引き出し部２０を引き出す場合には、例えば、摘み部４５を摘まんでレバー部４０を持ち上げながら引き出し部２０を引き出す。このようにレバー部４０を持ち上げながら引き出し部２０を引くことにより凹部４３からストッパ３０が反対方向Ｄ２に抜け出るので、更に引き出し部２０を引き出すことが可能となる。
【００３５】
図７に示されるように、更に引き出し部２０を引き出すとレバー部４０の全体がベース部１０から露出し、ストッパ３０は引き出し部２０に対して更に貫通孔２５ａ（直線部２５ｃ）内で反対方向Ｄ２に相対移動する。そして、ストッパ３０が貫通孔２５ａの傾斜部２５ｄに到達するまで引き出し部２０が引き出されると、ベース部１０に対して引き出し部２０が斜め下方に傾斜して引き出し部２０が最も引き出された状態となる。この状態では、ケーブル２２の導入及び融着接続を行ったり、初期工事を行うことが可能である。
【００３６】
引き出し部２０をベース部１０に戻すときには、引き出し部２０を持ち上げて引き出し部２０をベース部１０に一方向Ｄ１に押し込む。このとき、ストッパ３０は、貫通孔２５ａを一方向Ｄ１に相対移動すると共に幅広部４０Ｃの第３辺４０ｃを押し上げて凹部４３ｃに入り込む。この状態では引き出し部２０のベース部１０に対する反対方向Ｄ２への移動が規制される。
【００３７】
更に引き出し部２０をベース部１０に押し込むときには、例えば摘み部４５を摘まんでレバー部４０を持ち上げながら引き出し部２０を押し込むことにより、凹部４３からストッパ３０が一方向Ｄ１側に相対移動して引き出し部２０をベース部１０に押し込むことが可能となる。このように引き出し部２０を押し込むと、ナイラッチ２４が第２突出部１２の貫通孔１２ａに嵌合可能となり引き出し部２０が初期状態に戻される。
【００３８】
次に、前述した実施形態に係る光部品収納箱１の作用効果について詳細に説明する。光部品収納箱１では、光部品を収納する引き出し部２０はベース部１０から一方向Ｄ１に引き出される。引き出し部２０の一方向Ｄ１側には複数のアダプタ２１が露出しており、複数のアダプタ２１のそれぞれには複数の外部コネクタのそれぞれが接続される。また、引き出し部２０の一方向Ｄ１の反対方向Ｄ２側には、収納される光部品が光接続するケーブル２２が延び出している。
【００３９】
引き出し部２０は揺動自在とされたレバー部４０を有し、レバー部４０の揺動軸４１は、一方向Ｄ１及び鉛直方向Ｄ４の双方に交差する左右方向Ｄ３に延びている。レバー部４０は鉛直方向Ｄ４に揺動すると共に鉛直方向Ｄ４上方に向かって窪む凹部４３を有し、ベース部１０は引き出し部２０が一定量引き出されるときにレバー部４０の凹部４３に入り込むストッパ３０を有する。よって、引き出し部２０を一方向Ｄ１に一定量引き出すとレバー部４０の凹部４３にストッパ３０が入り込むので、引き出し部２０を傾けることなく引き出し部２０の一方向Ｄ１への移動を規制することができる。
【００４０】
引き出し部２０は一定量一方向Ｄ１に引き出された状態で一方向Ｄ１への移動が規制されるので、光部品収納箱１に対する作業を行いやすくすることができる。具体的には、引き出し部２０はベース部１０に対して傾いていない状態で移動が規制されるので、一定量前面側に引き出された状態を維持してアダプタ２１に対する外部コネクタの挿抜作業等を容易に行うことができる。
【００４１】
このように、引き出し部２０を傾けることなく且つ引き出し部２０の一方向Ｄ１への移動が規制された状態でアダプタ２１への外部コネクタの接続等を行うことができる。その結果、外部コネクタの挿抜等の作業を行いやすくすることができ、光信号の断絶等を回避することができる。従って、引き出し部２０を一方向Ｄ１に一定量引き出した状態で引き出し部２０を傾けずに停止させることができるので、光部品収納箱１に対する作業の作業性を向上させることができる。
【００４２】
レバー部４０は、ストッパ３０が凹部４３に入り込んだときにレバー部４０を持ち上げる摘み部４５を有する。従って、レバー部４０の凹部４３にストッパ３０が入り込んだ状態において、摘み部４５によってレバー部４０を持ち上げることができるので、凹部４３からストッパ３０を外すことができる。よって、摘み部４５でレバー部４０を持ち上げて引き出し部２０を更に引き出すことができる。
【００４３】
以上、本発明に係る光部品収納箱の実施形態について説明した。しかしながら、本発明は、前述した実施形態の内容に限定されることなく、特許請求の範囲に記載した要旨を逸脱しない範囲において種々の変形が可能である。すなわち、光部品収納箱のベース部及び引き出し部の各部の形状、大きさ、数、材料及び配置態様は、上記の要旨を逸脱しない範囲において適宜変更可能である。
【００４４】
例えば、前述の実施形態では、レバー部４０が引き出し部２０の左右方向Ｄ３の片側に設けられる例について説明した。しかしながら、レバー部４０は、引き出し部２０の左右方向Ｄ３の両側に設けられてもよい。このように、レバー部の配置態様、形状、大きさ及び数については適宜変更可能である。更に、ストッパの配置態様、形状、大きさ及び数についても適宜変更可能である。また、前述の実施形態では、ＬＣアダプタであるアダプタ２１の例について説明した。しかしながら、アダプタ及び各光コネクタの規格は、ＬＣに限定されず適宜変更可能である。
【符号の説明】
【００４５】
１…光部品収納箱、１０…ベース部、１１…第１突出部、１２…第２突出部、１２ａ…貫通孔、１５…側面部、１５ａ…折り曲げ部、１６…背面部、１６ａ…切り欠き、１６ｂ…壁部、１６ｃ…突出部、１７…底面部、２０…引き出し部、２０ａ…面、２１…アダプタ、２２…ケーブル、２３…突出部、２４…ナイラッチ、２５…側面部、２５ａ…貫通孔、２５ｂ…切り欠き部、２５ｃ…直線部、２５ｄ…傾斜部、２５ｇ…貫通孔、２６…上面部、２６ａ…アダプタ保持部、２６ｂ…貫通孔、２６ｃ…折り曲げ部、２７…前面部、２７ａ…貫通孔、２８…底面部、２８ａ…折り曲げ部、２８ｂ…突出部、３０…ストッパ、４０…レバー部、４０Ａ…第１直線部、４０ａ…第１辺、４０Ｂ…第２直線部、４０ｂ…第２辺、４０Ｃ…幅広部、４０ｃ…第３辺、４１…揺動軸、４２…揺動規制部、４３…凹部、４５…摘み部、Ｄ１…一方向、Ｄ２…反対方向、Ｄ３…左右方向、Ｄ４…鉛直方向、Ｓ…空間。
【図１】
2020079839.tif 000003
【図２】
2020079839.tif 000004
【図３】
2020079839.tif 000005
【図４】
2020079839.tif 000006
【図５】
2020079839.tif 000007
【図６】
2020079839.tif 000008
【図７】
2020079839.tif 000009